(57)【要約】【課題】特段の加工を行うことなく形状を維持することができるとともに、青果物を安定的に収納できる仕切体を提供すること。【解決手段】青果物用の収納箱１内の所定箇所に配置され、この収納箱１に収納された西瓜２，２同士の衝突を防止する仕切体３は、この仕切体３の略中央箇所で折返し下方に夫々延設された二面構造であり収納箱１内の西瓜２，２同士を仕切る仕切部５と、この仕切部５に連続して夫々延設された鍔部４，４と、を備え、仕切体３は、内底面の中央側に低い段差部１９を有する収納箱１内において、鍔部４，４の端部４ａ，４ａを段差部１９の側壁１９ａ，１９ａに当接係合させる当接係合部として用い、段差部１９に配置される。【選択図】図３
2011001064.tif 000002
【特許請求の範囲】
【請求項１】
青果物用の収納箱内の所定箇所に配置され、該収納箱に収納された青果物同士の衝突を防止する仕切体であって、
前記仕切体は、該仕切体の略中央箇所で折返し下方に夫々延設された二面構造であり前記収納箱内の青果物同士を仕切る仕切部と、該仕切部に連続して夫々延設された鍔部と、を少なくとも備え、
前記仕切体は、内底面の中央側に低い段差部を有する前記収納箱内において、前記鍔部の端部を前記段差部の側壁に当接係合させる当接係合部として用い、前記段差部に配置されることを特徴とする仕切体。
【請求項２】
前記仕切体の仕切部に、青果物の外面形状に沿って開口可能な切込部が上下方向に形成されていることを特徴とする請求項１に記載の仕切体。
【請求項３】
前記仕切体の鍔部は、上層部及び下層部からなる二層構造であって、前記下層部の端部が前記当接係合部であり、前記上層部が前記収納箱の内底面における側方の上面を被覆するように側方に延設されていることを特徴とする請求項１または２に記載の仕切体。
【請求項４】
前記仕切体は、前記仕切部の折返し箇所が前記収納箱内を閉塞した上蓋部に当接する高さ位置において、前記鍔部の下面が前記段差部に当接するように設計されていることを特徴とする請求項１ないし３のいずれかに記載の仕切体。
【発明の詳細な説明】
【技術分野】
【０００１】
本発明は、青果物用の収納箱内の所定箇所に配置され、収納箱に収納された収納物同士の衝突を防止する仕切体に関する。
【背景技術】
【０００２】
従来、収納箱内に収納された西瓜等の青果物同士の衝突を防止するための仕切体は、その中央箇所から折返し下方に延びる仕切部と、仕切部に連続して夫々延設された鍔部と、を備え、仕切部の一端側部に形成された係合部が仕切部の他端側部に形成された係合穴に挿通されることで、仕切体の形状が維持される（例えば、特許文献１参照）。
【先行技術文献】
【特許文献】
【０００３】
【特許文献１】意匠登録第９３６９３９号公報（第１頁、第１図）
【発明の概要】
【発明が解決しようとする課題】
【０００４】
特許文献１に記載の仕切体にあっては、仕切体の形状を維持するために、一端側部と他端側部に係合部及び係合穴を夫々設ける特段の加工を施す必要があり、仕切体の製作に手間やコストが嵩む虞がある。
【０００５】
また、通常、収納箱の底部の内底面には、段差が形成されているため、鍔部が段差に跨った状態で仕切体が配置されてしまい、この状態で鍔部の上に青果物が載置されると、青果物を安定的に収納できないといった虞がある。
【０００６】
本発明は、このような問題点に着目してなされたもので、特段の加工を行うことなく形状を維持することができるとともに、青果物を安定的に収納できる仕切体を提供することを目的とする。
【課題を解決するための手段】
【０００７】
前記課題を解決するために、本発明の仕切体は、
青果物用の収納箱内の所定箇所に配置され、該収納箱に収納された青果物同士の衝突を防止する仕切体であって、
前記仕切体は、該仕切体の略中央箇所で折返し下方に夫々延設された二面構造であり前記収納箱内の青果物同士を仕切る仕切部と、該仕切部に連続して夫々延設された鍔部と、を少なくとも備え、
前記仕切体は、内底面の中央側に低い段差部を有する前記収納箱内において、前記鍔部の端部を前記段差部の側壁に当接係合させる当接係合部として用い、前記段差部に配置されることを特徴としている。
この特徴によれば、仕切体の鍔部の端部が、収納箱の内底面に形成された低い段差部を利用して、当接係合部として段差部の側壁に当接係合することで、折返し箇所を頂部とした二面構造の仕切部の形状を維持できるばかりか、仕切体を段差部に配置することで、収納箱の内底面に形成されている段差を解消し、この内底面に載置する青果物を安定的に収納できる。
【０００８】
本発明の仕切体は、
前記仕切体の仕切部に、青果物の外面形状に沿って開口可能な切込部が上下方向に形成されていることを特徴としている。
この特徴によれば、仕切部に形成された切込部が青果物の外面形状に沿って開口することで、仕切部が青果物の外面形状に沿って適宜変形することになり、青果物をその外面形状に沿って保持できる。また、切込部が上下方向に形成されていることで、仕切部が、青果物の外面形状に沿って立体的形状に変形することで上下方向の構造強度が増す。
【０００９】
本発明の仕切体は、
前記仕切体の鍔部は、上層部及び下層部からなる二層構造であって、前記下層部の端部が前記当接係合部であり、前記上層部が前記収納箱の内底面における側方の上面を被覆するように側方に延設されていることを特徴としている。
この特徴によれば、二層構造である鍔部の下層部の端部を当接係合部として段差部に配置することで、収納箱の内底面の段差を解消するとともに、この段差を解消した内底面に鍔部の上層部を配置することで、内底面を重層化により補強し、且つ平面状の連続面にできる。
【００１０】
本発明の仕切体は、
前記仕切体は、前記仕切部の折返し箇所が前記収納箱内を閉塞した上蓋部に当接する高さ位置において、前記鍔部の下面が前記段差部に当接するように設計されていることを特徴としている。
この特徴によれば、仕切体が、仕切部の折返し箇所が収納箱内を閉塞した上蓋部に当接する高さ位置において、鍔部の下面が段差部に当接するように設計されていることで、仕切部を上下方向に安定的に支持できるばかりか、仕切部が上蓋部外方からの外力に抗して収納箱内を上下方向に支持し青果物を保護できる。
【図面の簡単な説明】
【００１１】
【図１】実施例１における仕切体及び西瓜が収納箱内に配置されている状態を示す斜視図である。
【図２】仕切体のみが収納箱内に配置されている状態を示す平面図である。
【図３】（ａ）は、図２のＡ−Ａ断面図であり、（ｂ）は、（ａ）の状態から西瓜が収納されて収納箱内が閉塞された状態を示す断面図である。
【図４】（ａ）は、仕切体を示す斜視図であり、（ｂ）は、（ａ）のＢ−Ｂ断面図である。
【図５】実施例２における仕切体を示す斜視図である。
【図６】西瓜が収納されて収納箱内が閉塞された状態を示す断面図である。
【図７】実施例３における仕切体を示す斜視図である。
【図８】西瓜が収納されて収納箱内が閉塞された状態を示す断面図である。
【図９】実施例４における仕切体を示す斜視図である。
【図１０】西瓜が収納されて収納箱内が閉塞された状態を示す断面図である。
【発明を実施するための形態】
【００１２】
本発明に係る仕切体を実施するための形態を実施例に基づいて以下に説明する。以下、図３（ａ）の紙面手前側を仕切体及び収納箱の正面側（前方側）として説明する。
【実施例１】
【００１３】
実施例１に係る仕切体につき、図１から図４を参照して説明する。先ず図１の符号１は、本発明の適用された青果物用の収納箱である。この収納箱１には、青果物としての２個の西瓜２，２が収納され、これら西瓜２，２が収納された状態で収納箱１が搬送されるとき等に、西瓜２，２同士の衝突を防止するために、収納箱１内に仕切体３が配置される。
【００１４】
収納箱１の構造について具体的に説明すると、図１及び図２に示されるように、収納箱１は、互いに連続して形成される上面視長方形状の側壁部を有しており、この側壁部は、一方の互いに対向する長辺側壁部１１，１１と、他方の互いに対向する短辺側壁部１２，１２と、から成っている。
【００１５】
長辺側壁部１１，１１には、その下端部から夫々延びる後述する下底部２３，２３が連続しており、一対の短辺側壁部１２，１２には、その下端部から夫々延びる後述する上底部２４，２４が連続している。
【００１６】
また、長辺側壁部１１，１１には、その上端部から上方に夫々延びる長辺上蓋部１５，１５が連続しており、短辺側壁部１２，１２には、その上端部から上方に夫々延びる短辺上蓋部１６，１６が連続している。
【００１７】
図２及び図３（ａ）に示されるように、先ず、前記した上底部２４，２４を内方側に折曲し、次いで、前記した下底部２３，２３を内方側に折曲することで、収納箱１の内底面が構成される。尚、上底部２４，２４の下面と、この下面に当接する下底部２３，２３の上面との間の適所に熱可塑性樹脂成分等からなる接着剤を塗布することで、上底部２４，２４と下底部２３，２３は接着される。
【００１８】
また、収納箱１の内底面が形成された状態では、内底面を構成する上底部２４，２４における先端部同士が互いに離間しているとともに、同じく内底面を構成する下底部２３，２３における先端部同士が当接しているため、下底部２３，２３における先端部と、下底部２３，２３の上面とにより、内底面の中央側に低い段差部１９が形成される。
【００１９】
一方、図３（ｂ）に示されるように、長辺上蓋部１５，１５及び短辺上蓋部１６，１６を内方側に折曲することで、収納箱１が閉塞される。
【００２０】
次に、仕切体３の構造について具体的に説明すると、図２に示されるように、仕切体３は、その幅寸法が収納箱１の幅寸法（図示上下寸法）よりも若干短寸になるように形成されている。図４（ａ）、（ｂ）に示されるように、この仕切体３は、対向した２枚の厚紙３ａ，３ａと、厚紙３ａ，３ａの間に配置される断面視波形形状のフルート３ｂと、から成るダンボール紙で構成されている。また、図４（ｂ）に示されるように、仕切体３は、略水平方向に切った断面形状が波形形状であるように配置される。
【００２１】
更に、図４（ａ）に示されるように、仕切体３は、この仕切体３の略中央箇所の折返し箇所Ｃで折返し下方に夫々延設された二面構造であり収納箱１内の西瓜２，２同士を仕切る仕切部５と、この仕切部５に連続して夫々延設された鍔部４，４と、を備えている。
【００２２】
仕切部５と鍔部４，４とが連続する箇所には、折り目９，９が夫々形成されており、この折り目９，９の上方位置には、西瓜２，２の外面形状に沿って開口可能な切込部５ａ，５ａが夫々形成されている。
【００２３】
図２及び図３（ｂ）に示されるように、鍔部４は、その端部４ａ，４ａが段差部１９の側壁１９ａ，１９ａに当接係合して、段差部１９に配置されるようになっており、この端部４ａ，４ａが本発明の当接係合部を構成している。
【００２４】
次に、西瓜２，２を収納箱１に収納する方法について説明すると、図３（ａ）に示されるように、先ず、仕切体３を、収納箱１の段差部１９に配置し、次いで、西瓜２，２を収納箱１内に収納する。
【００２５】
図４に示されるように、西瓜２，２を収納することで、西瓜２，２が切込部５ａ，５ａと当接し、この当接により、切込部５ａ，５ａが西瓜２，２の外面形状に沿って開口し、仕切部５が、西瓜２，２の曲面に沿って湾曲して西瓜２，２を支持する。また、これら西瓜２，２を収容した状態において、折返し箇所Ｃは、短辺側壁部１２，１２の上端部よりも上方に突出している（図３（ａ）参照）。
【００２６】
このように、仕切部５に形成された切込部５ａ，５ａが西瓜２，２の外面形状に沿って開口することで、仕切部５が西瓜２，２の外面形状に沿って適宜変形することになり、西瓜２，２をその外面形状に沿って保持できる。また、切込部５ａ，５ａが上下方向に形成されていることで、仕切部５が、西瓜２，２の外面形状に沿って立体的形状に変形することで上下方向の構造強度が増す。
【００２７】
更に、前述したように、仕切体３は、その断面形状が波形形状であるように収納箱１内に配置されるため、仕切体３の上下方向の構造強度が増し、西瓜２，２の荷重により、仕切体３が型崩れすることなく西瓜２，２を支持することができる。
【００２８】
西瓜２，２を収納箱１内に収納した後に、長辺上蓋部１５，１５及び短辺上蓋部１６，１６を内方側に折曲する。この長辺上蓋部１５，１５の折曲の途中で、仕切体３の折返し箇所Ｃが長辺上蓋部１５，１５と当接するため、仕切部５が下方に押圧され、鍔部４，４が仕切部５に対して折り目９，９で夫々折曲し、仕切体３が上下方向に収縮することになる。
【００２９】
この仕切体３の収縮により、仕切部５が西瓜２，２との当接領域を変更しながら下方に移動する。この仕切部５の下方の移動に伴って、切込部５ａ，５ａが西瓜２，２との当接領域を変更しながら、西瓜２，２の外面形状に沿って適宜変形する。そして、鍔部４の下面が段差部１９に当接し、図３（ｂ）に示されるように、鍔部４の端部４ａ，４ａは、段差部１９の側壁１９ａ，１９ａに完全に押圧して当接係合し、収納箱１内が閉塞される。すなわち、仕切体３は、仕切部５の折返し箇所Ｃが収納箱１内を閉塞した長辺上蓋部１５，１５と当接する高さ位置において、鍔部４の下面が段差部１９に当接するように設計されている。
【００３０】
このように、仕切体３が、仕切部５の折返し箇所Ｃが収納箱１内を閉塞した長辺上蓋部１５，１５に当接する高さ位置において、鍔部４の下面が段差部１９に当接するように設計されていることで、仕切部５を上下方向に安定的に支持できるばかりか、収納箱１が閉塞された後に、仕切部５が長辺上蓋部１５，１５外方からの外力に抗して収納箱１内を上下方向に支持し西瓜２，２を保護できる。
【００３１】
以上に説明したように、実施例１の仕切体３において、鍔部４の端部４ａ，４ａが、収納箱１の内底面に形成された低い段差部１９を利用して、当接係合部として段差部１９の側壁１９ａ，１９ａに当接係合することで、折返し箇所Ｃを頂部とした二面構造の仕切部５の形状を維持できるばかりか、仕切体３を段差部１９に配置することで、収納箱１の内底面に形成されている段差を解消し、この内底面に載置する西瓜２，２を安定的に収納できる。
【実施例２】
【００３２】
次に、実施例２に係る仕切体につき、図５及び図６を参照して説明する。尚、前記実施例１に示される構成部分と同一構成部分に付いては同一符号を付して重複する説明を省略する。
【００３３】
図５に示されるように、実施例２の仕切体３３において、鍔部３４は、上層部３４ａ及び下層部３４ｂからなる二層構造で形成されている。
【００３４】
より具体的には、図５及び図６に示されるように、仕切体３３は、仕切部３５と、この仕切部３５に連続して夫々延設された下層部３４ｂ，３４ｂと、下層部３４ｂ，３４ｂの上面に固着され、収納箱１の内底面である上底部２４，２４の上面を被覆する上層部３４ａ，３４ａと、から構成されている。また、下層部３４ｂ，３４ｂの端部３４ｃ，３４ｃが当接係合部を構成している。
【００３５】
このようにすることで、二層構造である鍔部の下層部３４ｂ，３４ｂの端部３４ｃ，３４ｃを当接係合部として段差部１９に配置することで、収納箱１の内底面の段差を解消するとともに、この段差を解消した内底面に鍔部３４の上層部３４ａ，３４ａを配置することで、内底面を重層化により補強し、且つ平面状の連続面にできる。また、収納箱１内に収納した西瓜２，２は、上底部２４，２４の上面に載置されるため、本実施例のように、下底部２３，２３と上底部２４，２４が、取付金具Ｐ，Ｐで取付けられた場合でも、西瓜２，２は、取付金具Ｐ，Ｐと直接接触せずに傷つくことがない。
【００３６】
尚、実施例２では、上層部３４ａ，３４ａが、下層部３４ｂ，３４ｂの上面に固着されているが、これに限らず、上層部と下層部とは、別体であって、仕切体は、上層部が下層部の上面に載置されたものであってもよい。
【実施例３】
【００３７】
次に、実施例３に係る仕切体につき、図７及び図８を参照して説明する。尚、前記実施例１、２に示される構成部分と同一構成部分に付いては同一符号を付して重複する説明を省略する。
【００３８】
図７に示されるように、実施例２と同様、実施例３の仕切体４３において、鍔部４４は、上層部４４ａ及び下層部４４ｂからなる二層構造で形成されているが、図７及び図８に示されるように、仕切体４３は、仕切部４５と、この仕切部４５に連続して夫々延設され、上底部２４，２４の上面を被覆する上層部４４ａ，４４ａと、上層部４４ａ，４４ａの下面に固着された下層部４４ｂ，４４ｂと、から構成されている。また、下層部４４ｂ，４４ｂの端部４４ｃ，４４ｃが当接係合部を構成している。
【００３９】
このようにすることで、二層構造である鍔部の下層部４４ｂ，４４ｂの端部４４ｃ，４４ｃを当接係合部として段差部１９に配置することで、収納箱１の内底面の段差を解消するとともに、この段差を解消した内底面に鍔部４４の上層部４４ａ，４４ａを配置することで、内底面を重層化により補強し、且つ平面状の連続面にできる。また、実施例２と同様に、西瓜２，２は、取付金具Ｐ，Ｐと直接接触せずに傷つくことがない。
【実施例４】
【００４０】
次に、実施例４に係る仕切体につき、図９及び図１０を参照して説明する。尚、前記実施例と同一構成で重複する構成を省略する。尚、前記実施例１〜３に示される構成部分と同一構成部分に付いては同一符号を付して重複する説明を省略する。
【００４１】
図９に示されるように、実施例４の仕切体５３は、仕切部５５と、この仕切部５５に連続して延設される載置部５６，５６と、この載置部５６，５６を介して仕切部５５に連続して延設される当接係合部５７，５７と、当接係合部５７，５７から互いに向かって屈曲して延設される屈曲部５８，５８と、を備えている。
【００４２】
図１０に示されるように、段差部１９の側壁１９ａ，１９ａの離間寸法に応じて、当接係合部５７，５７を、仕切体３の仕切部５に連続した所定箇所を屈曲することで、屈曲部５８，５８が形成され、この屈曲部５８，５８が段差部１９に配置されるようになっている。
【００４３】
このように、仕切体５３の当接係合部５７，５７は、仕切部５５に連続した所定箇所を屈曲して形成されていることで、当接係合部５７，５７を容易に形成できるばかりか、各収納箱の寸法に応じて適宜箇所を屈曲し当接係合部を任意に形成できる。
【００４４】
屈曲部５８，５８が段差部１９の側壁１９ａ，１９ａの間に配置される配置状態において、当接係合部５７，５７が、側壁１９ａ，１９ａと夫々当接係合しており、この当接係合により、仕切体３の形状が維持される。
【００４５】
また、前記配置状態において、西瓜２，２を収納箱１内に収納することで、載置部５６，５６が、西瓜２，２を夫々載置される。図示一点鎖線囲い部Ｇに示されるように、西瓜２，２が載置部５６，５６に載置されることで、西瓜２，２が下方に（図示黒塗矢印参照）載置部５６，５６を夫々押圧する。この押圧により、当接係合部５７，５７は、図示左右方向（図示白抜矢印参照）に段差部１９の側壁１９ａ，１９ａを夫々押圧する。すなわち、載置部５６，５６は、西瓜２，２の荷重を利用して当接係合部５７，５７を段差部１９の側壁１９ａ，１９ａに向けて押圧する押圧機能を有している。
【００４６】
このように、仕切体５３の載置部５６，５６が、この載置部５６，５６に載置した西瓜２，２の荷重を利用して当接係合部５７，５７を段差部１９の側壁１９ａ，１９ａに向けて押圧する押圧機能を有しているため、当接係合部５７，５７を段差部１９の側壁１９ａ，１９ａに対し確実に当接係合させることができる。
【００４７】
以上、本発明の実施例を図面により説明してきたが、具体的な構成はこれら実施例に限られるものではなく、本発明の要旨を逸脱しない範囲における変更や追加があっても本発明に含まれる。
【００４８】
例えば、前記実施例１〜４では、収納箱１に西瓜２，２が収納されているが、これに限らず、例えば、収納箱に収納される青果物は、メロンや南瓜であってもよい。
【００４９】
また、前記実施例１〜３では、仕切部５，３５，４５には、切込部５ａ，３５ａ，４５ａが形成されているが、これに限らず、仕切部に切込部が形成されていない仕切体を適用してもよく、このようにすることで、仕切部の所定箇所に切込加工を施す必要がなく、板状の部材を折曲するだけで仕切体を容易に構成できるため、仕切体の製作に手間やコストが嵩むことを抑制できる。
【符号の説明】
【００５０】
１                収納箱
２                西瓜（青果物）
３                仕切体
４                鍔部
４ａ              端部（当接係合部）
５                仕切部
５ａ              切込部
１５              長辺上蓋部（上蓋部）
１９              段差部
１９ａ            側壁
Ｃ                折返し箇所
【図１】
2011001064.tif 000003
【図２】
2011001064.tif 000004
【図３】
2011001064.tif 000005
【図４】
2011001064.tif 000006
【図５】
2011001064.tif 000007
【図６】
2011001064.tif 000008
【図７】
2011001064.tif 000009
【図８】
2011001064.tif 000010
【図９】
2011001064.tif 000011
【図１０】
2011001064.tif 000012